(57)【特許請求の範囲】
【請求項１】
天井板２１の開口部２１ａに嵌められて建物側に固定されるほぼ逆Ｔ字状の外枠２２と、この外枠２２の内部空間を開閉するほぼ逆Ｔ字状の内枠２３と、前記外枠２２の立ち上がり壁２４の下端の内側に張り出す板部２５の内周縁に沿う１側辺の端面に形成された係合片２６に回動自在に係合する係合片２７ならびに前記内枠２３の立ち上がり壁２８の下端の外側に張り出す板部２９の１側辺に沿う上面に形成された係合片３０に回動自在に係合する係合片３１を有する係合部材３３と、前記内枠２３の立ち上がり壁２８の内側下端の板部３４上に載る蓋材３５とを備えた天井点検口において、
蓋材３５が取り付けられた内枠２３により外枠２２の内部空間が閉じられた状態では、係合部材３３の係合片２７は外枠２２の係合片２６に対する係合が外れて外枠２２の板部２５上に載っており、内枠２３により外枠２２の内部空間が閉じられた状態から内枠２３を下方に回動させると内枠２３が係合片３０と係合部材３３の係合片３１との係合部を中心として回動するとともに係合片２７が外枠２２の係合片２６に係合し、係合部材３３は係合片２７と外枠２２の係合片２６との係合部を中心して回動することを特徴とする天井点検口。
【請求項２】
係合部材３３は内枠２３が外枠２２の内部空間を閉じた状態から外枠２２に対してほぼ９０度の角度で開いた状態との間で内枠２３の立ち上がり壁２８の１側辺外面に当接する板部３２を有していることを特徴とする請求項１記載の天井点検口。
【発明の詳細な説明】
【０００１】
【発明の属する技術分野】
本発明は、天井点検口に関するものである。
【０００２】
【従来の技術】
従来から一般に知られている天井点検口は図６〜図１０に示すように、天井板１の開口部１ａに嵌められて建物側に固定されるアルミニウム製のほぼ逆Ｔ字状の外枠２と、この外枠２の下端に内側に張り出す板部３の内周縁に沿う１側辺の端面に形成された係合片４に回動自在に係合する係合片５を立ち上がり壁６の１側辺外側に備え外枠２の内部空間を開閉するアルミニウム製のほぼ逆Ｔ字状の内枠７と、この内枠７の内側下端の板部８上に載り前記天井板１と同じ材料の蓋材９とを備え、この蓋材９が取り付けられた内枠７により外枠２の内部空間を閉じた状態において内枠７の下端の外側に張り出すように設けた板部１０の外周が前記外枠２の下端の内側に張り出す板部３に近接するように構成されている。１１は前記係合片４に対する係合片５の係合が外れないように係合片５の上部を押さえ付けるために外枠２の内側に取り付けたばねである。
【０００３】
このような構成の天井点検口において、蓋材９が取り付けられた内枠７を開くとき、開く過程の途中で内枠７から手を離すと内枠７は内枠７ならびに内枠７の内側下端の板部８上に載る蓋材９の重量により勢いよく回動して、図１０に示すように係合片４と係合片５との係合部が存在する回動中心側に位置する前記内枠７の下端の外側に張り出す板部１０の端縁が回動中心側に位置する外枠２の下面に強く当たり、内枠７の下端の外側に張り出す板部１０の端縁および外枠２の下面の少なくとも何れかが変形するという問題があった。
【０００４】
【発明が解決しようとする課題】
本発明はこのような課題を解決するもので、内枠を開くとき、開く過程の途中で内枠から手を離しても内枠の下端の外側に張り出す板部の端縁が外枠の下面に当たるようなことがなく、内枠や外枠の変形を防止できるようにすることを目的とするものである。
【０００５】
この課題を解決するために本発明は、天井板２１の開口部２１ａに嵌められて建物側に固定されるほぼ逆Ｔ字状の外枠２２と、この外枠２２の内部空間を開閉するほぼ逆Ｔ字状の内枠２３と、前記外枠２２の立ち上がり壁２４の下端の内側に張り出す板部２５の内周縁に沿う１側辺の端面に形成された係合片２６に回動自在に係合する係合片２７ならびに前記内枠２３の立ち上がり壁２８の下端の外側に張り出す板部２９の１側辺に沿う上面に形成された係合片３０に回動自在に係合する係合片３１を有する係合部材３３と、前記内枠２３の立ち上がり壁２８の内側下端の板部３４上に載る蓋材３５とを備えた天井点検口において、蓋材３５が取り付けられた内枠２３により外枠２２の内部空間が閉じられた状態では、係合部材３３の係合片２７は外枠２２の係合片２６に対する係合が外れて外枠２２の板部２５上に載っており、内枠２３により外枠２２の内部空間が閉じられた状態から内枠２３を下方に回動させると内枠２３が係合片３０と係合部材３３の係合片３１との係合部を中心として回動するとともに係合片２７が外枠２２の係合片２６に係合し、係合部材３３は係合片２７と外枠２２の係合片２６との係合部を中心して回動するように構成されてなることを要旨とするものである。また本発明において係合部材３３は内枠２３が外枠２２の内部空間を閉じた状態から外枠２２に対してほぼ９０度の角度で開いた状態との間で内枠２３の立ち上がり壁２８の１側辺外面に当接する板部３２を有していることを要旨とするものである。
【０００６】
この構成により、外枠と内枠との間を係合部材を介して内枠が開閉自在となるように繋いでおり、蓋材が取り付けられた内枠を開くとき、開く過程の途中で内枠から手を離しても内枠が外枠に当接するまで勢いよく回動するようなことはなく、内枠や外枠の変形を防止することができる。
【０００７】
【発明の実施の形態】
以下、本発明の一実施の形態について、図面に基づいて説明する。
図１〜図５において、本実施の形態の天井点検口は、天井板２１の開口部２１ａに嵌められて建物側に固定されるアルミニウム製のほぼ逆Ｔ字状の外枠２２と、この外枠２２の内部空間を開閉するアルミニウム製のほぼ逆Ｔ字状の内枠２３と、前記外枠２２の立ち上がり壁２４の下端の内側に張り出す板部２５の内周縁に沿う１側辺の端面に形成された係合片２６に回動自在に係合する係合片２７ならびに前記内枠２３の立ち上がり壁２８の下端の外側に張り出す板部２９の１側辺に沿う上面に形成された係合片３０に回動自在に係合する係合片３１を有し且つ内枠２３が外枠２２の内部空間を閉じた状態から外枠２２に対してほぼ９０度の角度で開いた状態との間で内枠２３の立ち上がり壁２８の１側辺外面に当接する板部３２を有する金属製もしくは合成樹脂製の係合部材３３と、前記内枠２３の立ち上がり壁２８の内側下端の板部３４上に載り前記天井板２１と同じ材料の蓋材３５とを備え、この蓋材３５が取り付けられた内枠２３により外枠２２の内部空間を閉じた状態において内枠２３の立ち上がり壁２８の下端の外側に張り出す前記板部２９の外周が前記外枠２２の下端の内側に張り出す前記板部２５に近接するように構成されている。なお、３６は前記外枠２２の立ち上がり壁２４に一端が固定されるとともに前記係合部材３３に他端が係止して内枠２３の開閉動作時に前記係合部材３３の係合片２７が外枠２２の係合片２６から外れるのを防止するためのばねである。ところで、前記内枠２３の係合片３０に対する係合部材３３の係合片３１の係合部は、係合部材３３の係合片３１の先端が内枠２３の係合片３０の凹部内に内枠２３の開閉動作時に抜け外れないように嵌合している。さらに、３７は外枠２２の立ち上がり壁２４の下端の外側に張り出す板部である。
【０００８】
上記構成において、蓋材３５が取り付けられた内枠２３により外枠２２の内部空間を閉じた状態では内枠２３は外枠２２に対して図外のロック手段により閉じた状態が保持され、このとき前記係合部材３３の係合片２７は図３に示すように前記外枠２２の板部２５上に載って外枠２２の係合片２６に対する係合が外れた状態にある。この状態から前記ロック手段を解除して外枠２２の内部空間を開くべく蓋材３５が取り付けられた内枠２３を下方に回動させるとき、内枠２３はその係合片３０と係合部材３３の係合片３１との係合部を回動中心として回動し、且つ係合部材３３はその係合片２７と外枠２２の係合片２６との係合部を回動中心として回動することになり、図４に示すように内枠２３が外枠２２に対してほぼ９０度の角度で開いた状態になるまで係合部材３３の板部３２が内枠２３の立ち上がり壁２８の１側辺外面に当接し、その後内枠２３がさらに開く方向に回動しようとすると内枠２３は立ち上がり壁２８が係合部材３３の板部３２から離れる。このとき、内枠２３がほぼ水平状態になるまで回動することによって図５二点鎖線で示すように内枠２３の前記板部２９および３４の裏面は外枠２２の前記板部２５および３７の裏面に当接することになるが、蓋材３５が取り付けられた内枠２３を開くとき、開く過程の途中で内枠２３から手を離しても内枠２３の前記板部２９および３４が外枠２２の前記板部２５および３７に当接するまで勢いよく回動するようなことはなく、内枠２３や外枠２２の変形を防止することができる。
【０００９】
【発明の効果】
以上のように本発明によれば、外枠と内枠との間を係合部材を介して内枠が開閉自在となるように繋いでおり、蓋材が取り付けられた内枠を開くとき、開く過程の途中で内枠から手を離しても内枠が外枠に当接するまで勢いよく回動するようなことはなく、内枠や外枠の変形を防止することができる。
【図面の簡単な説明】
【図１】本発明の一実施の形態における天井点検口の斜視図である。
【図２】同天井点検口の要部の分解斜視図である。
【図３】同天井点検口の内枠が閉じた状態を示す断面図である。
【図４】同天井点検口の内枠が外枠に対してほぼ９０度の角度で開いた状態を示す断面図である。
【図５】同天井点検口の内枠が外枠に対して９０度よりも大きな角度で開いた状態を示す断面図である。
【図６】従来例における天井点検口の斜視図である。
【図７】同天井点検口の要部の分解斜視図である。
【図８】同天井点検口の内枠が閉じた状態を示す断面図である。
【図９】同天井点検口の内枠が外枠に対してほぼ９０度の角度で開いた状態を示す断面図である。
【図１０】同天井点検口の内枠が外枠に対して９０度よりも大きな角度で開いた状態を示す断面図である。
【符号の説明】
２１      天井板
２１ａ    開口部
２２      外枠
２３      内枠
２４      立ち上がり壁
２５      板部
２６      係合片
２７      係合片
２８      立ち上がり壁
２９      板部
３０      係合片
３１      係合片
３２      板部
３３      係合部材
３４      板部
３５      蓋材
３６      ばね
３７      板部
【図１】
0004761604.tif 000002
【図２】
0004761604.tif 000003
【図３】
0004761604.tif 000004
【図４】
0004761604.tif 000005
【図５】
0004761604.tif 000006
【図６】
0004761604.tif 000007
【図７】
0004761604.tif 000008
【図８】
0004761604.tif 000009
【図９】
0004761604.tif 000010
【図１０】
0004761604.tif 000011